(57)【要約】【課題】プリンタ等のデータ出力手段の不具合時においてもファクシミリデータを受信できる送受信装置、これを用いたファクシミリ装置および送受信プログラムを提供すること。【解決手段】ファクシミリデータ受信があると（Ｓ０１：ＹＥＳ）、印刷可能か否かを判断し（Ｓ０２）、印刷可能でないと判断すると（Ｓ０２：ＮＯ）、さらにインターネット上の保存サーバに登録設定されているか否かを判断する（Ｓ０３）。そして、保存サーバに登録設定されていると判断すると（Ｓ０３：ＹＥＳ）、ファクシミリデータを受信し（Ｓ０７）、さらにファクシミリデータをファイルデータに変換した（Ｓ０８）後に、そのファイルデータを電子メールに添付して保存サーバに送信する（Ｓ０９）。【選択図】図５
2004274399.tif 000002
【特許請求の範囲】
【請求項１】
公衆電話回線網を介してデータ通信を行うための第１通信手段と、
インターネットを介してデータ通信を行うための第２通信手段と、
ファクシミリデータを処理する処理装置との間でデータ通信を行うための第３通信手段と、
前記第１通信手段が前記公衆電話回線網を介してファクシミリデータを受信すると、前記第３通信手段に接続された処理装置がファクシミリデータを受信可能か否かを判断して、前記処理装置がファクシミリデータを受信可能であれば、前記第１通信手段が受信したファクシミリデータを前記第３通信手段を介して前記処理装置に転送し、前記処理装置がファクシミリデータを受信できない場合には、前記第１通信手段が受信したファクシミリデータを前記第２通信手段を介して前記インターネット上の所定のサーバに転送することにより、受信したファクシミリデータを該サーバに記憶させる通信制御手段と、
を備えたことを特徴とする送受信装置。
【請求項２】
前記通信制御手段は、前記第１通信手段が前記公衆電話回線網を介してファクシミリデータを受信していない時に、前記処理装置がファクシミリデータを受信可能か否かを判断して、前記処理装置がファクシミリデータを受信可能であれば、前記サーバに記憶させたファクシミリデータを前記第２通信手段を介して前記サーバから受信し、該サーバから受信したファクシミリデータを前記第３通信手段を介して前記処理装置に転送することを特徴とする請求項１に記載の送受信装置。
【請求項３】
前記処理装置は、転送されたファクシミリデータをもとに画像を形成する画像形成装置で構成されることを特徴とする請求項１または請求項２に記載の送受信装置。
【請求項４】
前記処理装置は、転送されたファクシミリデータを保存、表示もしくは加工するための情報処理装置で構成されることを特徴とする請求項１または請求項２に記載の送受信装置。
【請求項５】
前記サーバはメールサーバアドレスとメールアドレスにより特定されるものであり、
操作者の操作によって、前記メールサーバアドレスと前記メールアドレスの設定情報を入力するための設定入力手段と、
前記設定入力手段から前記設定情報が入力されると、前記設定情報により特定されるサーバを、前記ファクシミリデータを転送するためのサーバとして記憶する記憶手段と、
を備えたことを特徴とする請求項１〜請求項４何れかに記載の送受信装置。
【請求項６】
前記サーバにログオンするにはユーザＩＤとパスワードが必要であり、
前記設定入力手段は、前記メールサーバアドレスと前記メールアドレスの設定情報に加えて、前記ユーザＩＤと前記パスワードの設定情報を入力可能に構成され、
前記記憶手段は、前記設定入力手段から前記ユーザＩＤと前記パスワードの設定情報が入力されると、該設定情報を前記サーバにログオンするためのユーザＩＤとパスワードとして記憶することを特徴とする請求項５に記載の送受信装置。
【請求項７】
請求項１〜請求項６何れか記載の送受信装置を備えたことを特徴とするファクシミリ装置。
【請求項８】
請求項１〜請求項６何れか記載の送受信装置の前記各手段としてコンピュータを機能させるための送受信プログラム。
【発明の詳細な説明】
【０００１】
【発明の属する技術分野】
本発明は、公衆電話回線網を介してファクシミリデータを受信するのに好適な送受信装置、これを用いたファクシミリ装置および送受信プログラムに関する。
【０００２】
【従来の技術】
ファクシミリ装置において、外部からファクシミリデータを受信した際に、用紙無し，トナー切れなどの印刷不具合によりプリンタでファクシミリデータを印刷できない場合には、ファクシミリ装置内のＲＡＭに設けられた受信データ格納メモリに、受信したファクシミリデータを一時的に記憶していた（例えば、特許文献１参照。）。
【０００３】
【特許文献１】
特開２００１−２８５５３９号公報  （第３頁）
【０００４】
【発明が解決しようとする課題】
しかし、印刷不具合が継続すると、受信データ格納メモリにファクシミリデータが次々と蓄積される。そして、受信データ格納メモリの容量は比較的小さいために空き容量の余裕がなくなっていき、その結果ファクシミリデータを受信できなくなることが多かった。
【０００５】
本発明は、上記問題を解決するためになされたもので、プリンタ等のデータ出力手段の不具合時においてもファクシミリデータを受信できる送受信装置、これを用いたファクシミリ装置および送受信プログラムを提供することを目的とする。
【０００６】
【課題を解決するための手段および発明の効果】
上記問題を解決するため請求項１に記載の送受信装置は、公衆電話回線網を介してデータ通信を行うための第１通信手段と、インターネットを介してデータ通信を行うための第２通信手段と、ファクシミリデータを処理する処理装置との間でデータ通信を行うための第３通信手段と、前記第１通信手段が前記公衆電話回線網を介してファクシミリデータを受信すると、前記第３通信手段に接続された処理装置がファクシミリデータを受信可能か否かを判断して、前記処理装置がファクシミリデータを受信可能であれば、前記第１通信手段が受信したファクシミリデータを前記第３通信手段を介して前記処理装置に転送し、前記処理装置がファクシミリデータを受信できない場合には、前記第１通信手段が受信したファクシミリデータを前記第２通信手段を介して前記インターネット上の所定のサーバに転送することにより、受信したファクシミリデータを該サーバに記憶させる通信制御手段とを備えたことを特徴とする。
【０００７】
このように構成された送受信装置によれば、第１通信手段が公衆電話回線網を介してファクシミリデータを受信すると、第３通信手段に接続された処理装置がファクシミリデータを受信可能であれば、第１通信手段が受信したファクシミリデータを第３通信手段を介して処理装置に転送し、処理装置がファクシミリデータを受信できない場合には、第１通信手段が受信したファクシミリデータを第２通信手段を介してインターネット上の所定のサーバに記憶させる。
【０００８】
このため、処理装置がファクシミリデータを受信できない場合でも、第１通信手段は公衆電話回線網を介してファクシミリデータを受信することができる。
また、請求項１に記載の送受信装置においては、更に請求項２に記載のように、
前記通信制御手段は、前記第１通信手段が前記公衆電話回線網を介してファクシミリデータを受信していない時に、前記処理装置がファクシミリデータを受信可能か否かを判断して、前記処理装置がファクシミリデータを受信可能であれば、前記サーバに記憶させたファクシミリデータを前記第２通信手段を介して前記サーバから受信し、該サーバから受信したファクシミリデータを前記第３通信手段を介して前記処理装置に転送する、ようにしてもよい。
【０００９】
このように構成された送受信装置によれば、処理装置がファクシミリデータを受信可能であれば、サーバに記憶させたファクシミリデータを第２通信手段を介して前記サーバから受信し、該サーバから受信したファクシミリデータを第３通信手段を介して処理装置に転送する。
【００１０】
このため、処理装置がファクシミリデータを受信可能な状態に復帰した場合には、利用者はファクシミリデータを処理装置上で確認することができる。
ところで、請求項１または請求項２に記載の送受信装置において、前記処理装置は、転送されたファクシミリデータをもとに画像を形成する画像形成装置で構成される、ようにしてもよい。
【００１１】
このように構成された送受信装置によれば、受信したファクシミリデータを用紙などの記録媒体に印刷して確認することができる。
また、請求項１または請求項２に記載の送受信装置において、前記処理装置は、転送されたファクシミリデータを保存、表示もしくは加工するための情報処理装置で構成される、ようにしてもよい。
【００１２】
このように構成された送受信装置によれば、受信したファクシミリデータを保存、表示もしくは加工することができる。
また、請求項１〜請求項４何れかに記載の送受信装置においては、更に請求項５に記載のように、前記サーバはメールアドレスにより特定されるものであり、操作者の操作によって、前記メールアドレスの設定情報を入力するための設定入力手段と、前記設定入力手段から前記設定情報が入力されると、前記設定情報により特定されるサーバを、前記ファクシミリデータを転送するためのサーバとして記憶する記憶手段とを備える、ようにしてもよい。
【００１３】
このように構成された送受信装置によれば、操作者の操作により、ファクシミリデータを転送するためのサーバを任意に設定することができる。
このため、操作者の判断に応じて、ファクシミリデータの転送先を変更することができる。
【００１４】
また、請求項５に記載の送受信装置においては、更に請求項６に記載のように、
前記サーバにログオンするにはユーザＩＤとパスワードが必要であり、前記設定入力手段は、前記メールサーバアドレスと前記メールアドレスの設定情報に加えて、前記ユーザＩＤと前記パスワードの設定情報を入力可能に構成され、前記記憶手段は、前記設定入力手段から前記ユーザＩＤと前記パスワードの設定情報が入力されると、該設定情報を前記サーバにログオンするためのユーザＩＤとパスワードとして記憶する、ようにしてもよい。
【００１５】
このように構成された送受信装置によれば、前記サーバにログオンするためのユーザＩＤとパスワードを記憶することができる。
このため、サーバにおけるファクシミリデータの送受信の安全性をユーザＩＤとパスワードにより高めることができるので、送受信装置はファクシミリデータを安全にサーバに保管することができる。
【００１６】
また請求項７に記載のファクシミリ装置は、
請求項１〜請求項６何れか記載の送受信装置を備える、ことを特徴とする。
このように構成されたファクシミリ装置によれば、請求項１〜請求項６何れかに記載の送受信装置によりファクシミリデータを受信することができる。
【００１７】
このため、処理装置がファクシミリデータを受信できない場合でも、ファクシミリ装置は公衆電話回線網を介してファクシミリデータを受信することができる。
また請求項８に記載の送受信プログラムは、
請求項１〜請求項６何れか記載の送受信装置の前記各手段としてコンピュータを機能させる、ことを特徴とする。
【００１８】
このようなプログラムによって制御されるコンピュータシステムは、請求項１〜請求項６に記載の送受信装置の一部を構成することができ、同送受信装置と同様の作用・効果を得ることができる。
なお、上述した送受信プログラムは、例えば、ＦＤ、ＣＤ−ＲＯＭなどの記録媒体、インターネットなどの通信回線網を介して、送受信装置自身、ファクシミリ装置、これらを利用する利用者に提供されるものである。
【００１９】
また、上述した送受信装置を実行するコンピュータシステムとしては、例えば、送受信装置に内蔵されたコンピュータシステム、ファクシミリ装置に内蔵されたコンピュータシステム、または送受信装置，ファクシミリ装置に無線または有線の通信路を介してデータ通信可能に接続されたコンピュータシステムなどを利用することができる。
【００２０】
【発明の実施の形態】
（実施の形態１）
以下に本発明の実施の形態１について、図面とともに説明する。
図１はファクシミリ装置１の外部構成を表す概略斜視図、図２はファクシミリ装置１の内部構成を表す説明図である。
【００２１】
ファクシミリ装置１には、図１に示すように、その本体ケース１０の側部に、ハンドセット（Ｈ／Ｓ）１１が取り付けられ、上面の前部に、操作パネル１２が設けられている。尚、この操作パネル１２には、相手側の電話番号（ＦＡＸ番号）を入力するための数字キー１２１や、スタートキー１２２、選択キー１２３などの各種操作キー１２０と、各種機能に関連する情報を表示するための液晶ディスプレイ（ＬＣＤ）１２４と、が備えられている。
【００２２】
この他、本体の上部後部には、装置内に供給する記録紙を収容するための第一給紙トレイ１３が設けられ、その上には記録紙を載置するためのものであって利用者による手差しで記録紙を供給するための第二給紙トレイ１４が設けられている。更に、その上には、読取用の原稿用紙を載置するための原稿用給紙トレイ１５が設けられている。
【００２３】
また、本体には、図２に示すように、原稿から画像を読み取るためのスキャナ部１６、記録紙に画像を形成するための記録部１７、及び、これらの各部の駆動を制御するＣＰＵ１８（図３参照）を搭載する基板（図示せず）、などが内蔵されている。
【００２４】
スキャナ部１６では、原稿用給紙トレイ１５に載置された原稿が、原稿センサ（図示せず）により検出され、図２の矢印Ａにて示すように、給紙ローラ１９及び分離パッド２０等からなる給紙機能によって一枚ずつ取り込まれ、この後に、搬送ローラ２１により読取装置２２まで搬送される。そして、読取装置２２では、原稿上に形成されている画像が読み取られる。また、読取装置２２による画像読取後の原稿は、排紙ローラ２３を介して前方に設けられた第一排紙トレイ２４に排出される。
【００２５】
尚、このスキャナ部１６には、上記原稿センサの他に、原稿の先頭を検出する原稿フロントセンサ２５と、原稿の後端を検出する原稿リアセンサ２６と、が設けられており、ＣＰＵ１８は、これらのセンサからの検出結果に基づき、スキャナ部１６内の各部を制御して紙送りを調整し、上記スキャナ部１６の動作を実現する。
【００２６】
一方、記録部１７では、第一給紙トレイ１３あるいは第二給紙トレイ１４に載置された記録紙が、図２の矢印Ｂにて示すように、給紙ローラ２７及び分離パッド２８等からなる給紙機構によって一枚ずつ取り込まれる。そして、記録紙は、搬送ローラ２９を介して画像形成装置３０に送られる。画像形成装置３０では、記録紙上にトナーによる画像が形成される。また、画像形成装置通過後の記録紙は、下流側の定着装置３１に送られる。そして、この定着装置３１では、トナーによる画像が記録紙上に定着される。更に定着装置通過後の記録紙は、排紙ローラ３２を介して、本体の前面に設けられた第二排紙トレイ３３に排出される。
【００２７】
尚、上記画像形成装置３０は、レーザ光走査装置３４を動作させて感光ドラムにレーザ光を照射し、その表面に静電潜像を形成する構成にされている。このレーザ光走査装置３４は、ＣＰＵ１８からの指令に従って、イメージデータに基づくレーザ光を発射するレーザ発光部３７と、レーザ光反射用のレンズ３８、及びレンズ３８に反射されたレーザ光を感光ドラムに導く反射ミラー３９等を備えている。この他、画像形成装置３０は、トナーを貯留するトナータンク３５を備えており、静電潜像形成後の感光ドラムにトナータンク３５から供給されたトナーを付着させ、転写ローラ３６により、記録紙に電荷を付与して感光ドラムに付着したトナーを記録紙に転写する構成にされている。ただし、図２に示す画像形成装置３０の構成図は、画像形成装置３０の機能を説明するための模式図である。つまり本実施例の画像形成装置３０は、トナー像を形成可能な周知の画像形成装置としての構成を有しており、上述のように、トナー像を形成する構成をとる。
【００２８】
次に、ファクシミリ装置１の電気的構成について説明する。尚、図３は、実施の形態１におけるファクシミリ装置１の電気的構成を表すブロック図である。
ファクシミリ装置１は、主に、ＣＰＵ１８、ＲＯＭ５１、ＲＡＭ５２、スキャナ部１６、符号器５３、記録部１７、復号器５４、操作キー１２０、ＬＣＤ１２４、モデム５５、ネットワークコントロールユニット（ＮＣＵ）５６、ＬＡＮインタフェース（ＬＡＮＩ／Ｆ）５７、メール制御部５８、入出力インタフェース（入出力Ｉ／Ｆ）５９を備えており、バス６１を介して接続されている。
【００２９】
ＣＰＵ１８は、本装置の制御の中枢を担っており、装置全体を統括制御する構成にされている。つまり例えば、ＣＰＵ１８は、ＲＯＭ５１内に予め記録された制御処理用のプログラムを読み出し、そのプログラムに従って、ファクシミリデータ（以降、ＦＡＸデータとも称す）の送受信や、宛先登録等の処理を実行する。
【００３０】
尚、ＲＯＭ５１内には、当該装置をファクシミリ装置として動作させるために必要なファクシミリ機能用プログラム群５１ａが記憶されている（図４（ｂ）参照）。具体的には例えば、ＮＣＵ５６が外部のファクシミリ装置２から受信したファクシミリデータに基づく画像を記録部１７に形成させるための受信用プログラム等が上記ファクシミリ機能用プログラムとしてＲＯＭ５１に納められている。
【００３１】
この他、ＲＯＭ５１内には、上記プログラム等で呼び出される記録部制御用プログラム５１ｂや、その他の図示しない各種プログラム、そのプログラム実行時に必要な各種データが予め記憶されている。
一方、ＲＡＭ５２は、各種制御を行う際に必要なワークメモリ５２ａ（図４（ａ）参照）や、ファクシミリデータ等を記憶する送受信データ記憶部５２ｂ、ファクシミリデータの送信先に関する宛先情報を記憶する宛先情報記憶部５２ｃ、ファクシミリデータの保存先サーバのメールアドレスを記憶する保存先情報記憶部５２ｄ、受信したファクシミリデータに関するログ情報を記憶するログ管理情報記憶部５２ｅとして機能するようにされている。
【００３２】
また、宛先情報記憶部５２ｃは、図４（ｃ）に示すように、ファクシミリデータの送信先に関する宛先情報として電話番号とメールアドレスを記憶可能な構成にされている。即ち、当該ファクシミリ装置１は、相手先装置（外部のファクシミリ装置２またはインターネットサーバ３）が公衆電話回線網１００経由のファクシミリデータの送受信とインターネット２００経由の電子メールの送受信の少なくとも一方を行うことが可能な構成にされている場合に備えて、一つの宛名に対して、電話番号とメールアドレスの両方を併記可能な形で宛先情報を登録できるように構成されている。
【００３３】
そして、保存先情報記憶部５２ｄは、図４（ｄ）に示すように、保存先サーバを特定するためのメールサーバアドレス，メールアドレスと、保存先サーバにログオンするためのユーザＩＤ，パスワードが記憶可能な構成にされている。
スキャナ部１６は、ファクシミリデータの送信やコピー（原稿の複写）等の際に、原稿を読み取るためのものである。スキャナ部１６は、上述したように、原稿を原稿用給紙トレイ１５から取得し、読取装置２２にて画像を読み取り、読取結果としてのイメージデータを符号器５３などに出力する構成にされている。
【００３４】
また、符号器５３は、スキャナ部１６によって読み取られたイメージデータをファックスフォーマットであるＧ３圧縮形式のイメージデータにするために、符号化処理を実行し、その処理後のイメージデータを出力する構成にされている。
一方、復号器５４は、ファックスフォーマットのイメージデータを復号化して、記録部１７にて処理可能なイメージデータに変換する構成にされている。
【００３５】
また、記録部１７は、上述したように、画像を形成可能な所謂レーザプリンタとして機能する構成にされており、記録部制御用プログラム５１ｂを実行するＣＰＵ１８からの指令に従い、復号器５４によって復号化されたイメージデータに基づく画像を、上記画像形成装置３０を用いて記録紙に印刷し、印刷後の記録紙を出力する構成にされている。
【００３６】
この他、操作キー１２０は、上述したように操作パネル１２上に設けられており、利用者の操作に従って、宛先情報の登録、宛先の指定、メモ情報の入力や選択等といった各種処理操作を行うための指令信号を装置内（ＣＰＵ１８など）に入力する構成にされている。
【００３７】
同じく操作パネル１２に設けられた上記ＬＣＤ１２４は、利用者に操作手順を案内するメッセージやエラーメッセージ等の各種メッセージ等を表示するための表示手段として設けられている。また、本実施例のＬＣＤ１２４は、タッチパネルとしての機能を備えており、ファクシミリデータの宛先指定や宛先情報の登録の際に、ワンタッチキーの表示を行うと共に、利用者の操作情報を取得し装置内に入力する構成にされている。
【００３８】
モデム５５は、ＮＣＵ５６を介して公衆電話回線網１００に接続された外部のファクシミリ装置２との間でファクシミリデータの送受信を行うためのものである。ＮＣＵ５６は、公衆電話回線網１００に対するダイヤル信号の送出や、公衆電話回線網１００からの呼出信号に対する応答等の動作を行うものであり、例えば、公衆電話回線網１００を介して自身を外部のファクシミリ装置２に通信可能に接続する。
【００３９】
ＬＡＮＩ／Ｆ５７は、インターネット２００に接続されており、インターネット２００を介してインターネットサーバ３との間でファクシミリデータの送受信を行うためのものである。
また、メール制御部５８は、符号器５３にて符号化されたファクスフォーマットのバイナリイメージデータを、テキストコードのイメージデータに変換すると共に、送信先のメールアドレス等を含むヘッダ情報をそのデータに付加することにより、ファックスフォーマットのイメージデータを、電子メールとして送信可能な電子メールフォーマットのイメージデータにフォーマット変換する処理を行う。さらに、インターネット２００経由でＬＡＮＩ／Ｆ５７を介して受信した電子メールフォーマットのイメージデータを、ファックスフォーマットのイメージデータに逆フォーマット変換する処理を行う。
【００４０】
尚、このメール制御部５８によってファックスフォーマットのイメージデータに逆フォーマット変換されたデータは、復号器５４によって記録部１７で出力可能なイメージデータに復号化されてから記録紙に印刷される。
また、入出力Ｉ／Ｆ５９は、スキャナ部１６と記録部１７に接続されており、スキャナ部１６からイメージデータが入出力Ｉ／Ｆ５９を介して符号器５３などに入力される。また、復号器５４からのイメージデータが入出力Ｉ／Ｆ５９を介して記録部１７に出力される。
【００４１】
次に、図５を用いて、ＣＰＵ１８が実行する送受信処理について説明する。図５は、送受信処理を表すフローチャートである。この送受信処理はファクシミリ装置１が起動（電源ＯＮ）している間に繰り返し実行される処理である。
この送受信処理を実行すると、ＣＰＵ１８は、まずＳ０１にて、ＮＣＵ５６及びモデム５５によりＦＡＸデータが受信されているか否かを判断する。そして、ＦＡＸデータが受信されていれば（Ｓ０１：ＹＥＳ）、Ｓ０２に移行し、ＦＡＸデータが受信されていなければ（Ｓ０１：ＮＯ）、Ｓ１２に移行する。
【００４２】
Ｓ０２では、記録部１７が印刷可能であるか否かを判断する。ここでは、記録部１７が例えば用紙無し・トナー切れ・故障などの状態にあるか否かにより判断する。つまり、記録部１７が用紙無し・トナー切れ・故障等の状態にない場合には印刷可能と判断し、用紙無し・トナー切れ・故障等の少なくとも１つの状態である場合には、印刷可能でないと判断する。
【００４３】
そして、印刷可能であると判断すると（Ｓ０２：ＹＥＳ）、Ｓ０３に移行し、ＦＡＸデータをＮＣＵ５６及びモデム５５にて受信し、ＲＡＭ５２内の所定の記憶領域（送受信データ記憶部５２ｂ）に格納する。そしてＳ０４に移行し、送受信データ記憶部５２ｂに格納されたＦＡＸデータを、復号器５４により印刷用の画像データ（ビットマップデータ）に復号化し、その復号化後のＦＡＸデータを記録部１７へ転送することで、記録部１７に印刷を実行させる。その後、Ｓ０５に移行し、ログ管理情報記憶部５２ｅにＦＡＸデータの印刷記録を記憶し、当該送受信処理を終了する。
【００４４】
一方、Ｓ０２にて印刷可能でない判断すると（Ｓ０２：ＮＯ）、Ｓ０６に移行し、保存先情報記憶部５２ｄにおいて保存サーバのメールアドレスが設定されているか否かを判断する。そして、メールアドレスが設定されていると判断すると（Ｓ０６：ＹＥＳ）、Ｓ０７に移行し、ＦＡＸデータをＮＣＵ５６及びモデム５５にて受信し、ＲＡＭ５２内の所定の記憶領域（送受信データ記憶部５２ｂ）に格納する。
【００４５】
そしてＳ０８に移行し、送受信データ記憶部５２ｂに格納されたＦＡＸデータを、メール制御部５８により電子メールとして送信可能な電子メールフォーマットのイメージデータにフォーマット変換する。その後、Ｓ０９に移行し、変換したＦＡＸデータを電子メールに添付して、保存先情報記憶部５２ｄにおいてメールアドレスが設定されているインターネットサーバ３へこの電子メールを送信する。そして、Ｓ１０において、ログ管理情報記憶部５２ｅにＦＡＸデータの送信記録を記憶し、Ｓ１２に移行する。
【００４６】
また、Ｓ０６において、メールアドレスが設定されていないと判断すると（Ｓ０６：ＮＯ）、Ｓ１１においてＦＡＸデータの受信を拒否し、Ｓ１２に移行する。
Ｓ１２では、記録部１７が印刷可能であるか否かを判断する。そして、印刷可能と判断すると（Ｓ１２：ＹＥＳ）、Ｓ１３に移行し、インターネットサーバ３へインターネット２００を介してアクセスして、新規の受信メールが格納されているか否かを確認する。そして、Ｓ１４において、インターネットサーバ３に新規の受信メールが格納されているか否かを判断し、新規の受信メールが格納されていると判断すると（Ｓ１４：ＹＥＳ）、Ｓ１５に移行し、インターネットサーバ３から、新規のメールを受信する。
【００４７】
そして、Ｓ１６において、電子メールに添付されたＦＡＸデータをファックスフォーマットのイメージデータに逆フォーマット変換する処理を行い、変換後のＦＡＸデータをＲＡＭ５２内の所定の記憶領域（送受信データ記憶部５２ｂ）に格納する。
【００４８】
その後、Ｓ１７に移行し、送受信データ記憶部５２ｂに格納されたＦＡＸデータを、復号器５４により印刷用の画像データ（ビットマップデータ）に復号化し、その復号化後のＦＡＸデータを記録部１７へ転送することで、記録部１７に印刷を実行させる。そして、Ｓ１８において、ログ管理情報記憶部５２ｅにＦＡＸデータの印刷記録を記憶し、当該送受信処理を終了する。
【００４９】
一方、Ｓ１４において、新規の受信メールが格納されていないと判断すると（Ｓ１４：ＮＯ）、当該送受信処理を終了する。
また、Ｓ１２において、記録部１７が印刷可能でないと判断すると（Ｓ１２：ＮＯ）、当該送受信処理を終了する。
【００５０】
次に、図６を用いて、ＣＰＵ１８が実行する保存サーバ設定処理について説明する。図６は、保存サーバ設定処理を表すフローチャートである。この送保存サーバ設定処理はファクシミリ装置１が起動（電源ＯＮ）している間に繰り返し実行される処理である。
【００５１】
この保存サーバ設定処理を実行すると、ＣＰＵ１８は、まずＳ２１にて、操作パネル１２から保存サーバ設定指令が送信されるまで待機し、保存サーバ設定指令が送信されたと判断すると（Ｓ２１：ＹＥＳ）、操作パネル１２に設けられたＬＣＤ１２４に、メールサーバアドレス，メールアドレス，ユーザＩＤ，パスワードといった保存サーバ設定情報を入力するための入力プロンプトを表示する（Ｓ２２）。
【００５２】
この後、ＣＰＵ１８は、Ｓ２３において、保存サーバ設定情報の入力が完了したことを示す入力完了信号を操作パネル１２から受信するまで待機する。
そして、入力完了信号を受信すると入力プロンプトを用いた保存サーバ設定情報の入力が完了したと判断して（Ｓ２３：ＹＥＳ）、Ｓ２４において、利用者の外部操作により操作パネル１２から入力された保存サーバ設定情報を表すデータを保存先情報記憶部５２ｄに格納し、当該保存サーバ設定処理を終了する。
【００５３】
次に、図７を用いて、ＣＰＵ１８が実行するログ表示処理について説明する。図７は、ログ表示処理を表すフローチャートである。このログ表示処理はファクシミリ装置１が起動（電源ＯＮ）している間に繰り返し実行される処理である。このログ表示処理を実行すると、ＣＰＵ１８は、まずＳ３１にて、操作パネル１２からログ表示指令が送信されるまで待機し、ログ表示指令が送信されたと判断すると（Ｓ３１：ＹＥＳ）、Ｓ３２に移行し、ログ管理情報記憶部５２ｅが記憶するログ管理情報を読み出し、そのログ管理情報のリストをＬＣＤ１２４に表示する。そして、当該ログ表示処理を終了する。尚、ここで表示されるリストは、概ね図８（ａ）に示した形態で表示される。図８は、ＬＣＤ１２４に表示されるログ管理情報リストの構成を表す図である。
【００５４】
リスト項目の「Ｎｏ」，「日付時刻」，「ＦＡＸ番号／名前」，「所要時間」，「ページ数」，「通信結果」は、通常のＦＡＸ通信の管理記録情報である。
また、「ファイルサイズ」はＦＡＸデータを転送した場合のＦＡＸデータのデータ量、「転送先」は印刷不良時におけるＦＡＸデータの転送先、「転送保管時刻」は転送先へ転送した時刻、「保管データ取得時刻」は転送先からＦＡＸデータを取得してその後印刷した時刻、「保管理由」はＦＡＸデータを転送先へ転送した理由を表す。
【００５５】
Ｎｏ．１の行は、ＦＡＸデータを受信したときに印刷不良のため、メールサーバにＦＡＸデータを転送した場合を、Ｎｏ．２の行は、ＦＡＸデータを受信したときに印刷可能のため、印刷を行った場合を示している。
Ｎｏ．１の行では、「転送保管時刻」に時刻が表示されているが「保管データ取得時刻」には‘未’と表示されているので、保存サーバにＦＡＸデータが保管されており、まだファクシミリ装置１によりＦＡＸデータが取得されていないと、利用者は認識することができる。また、「転送先」の表示により、受信したデータの所在を利用者が確認できる。
【００５６】
［本発明との対応関係］
以上説明した実施形態１において、モデム５５及びＮＣＵ５６は本発明における第１通信手段、ＬＡＮＩ／Ｆ５７は本発明における第２通信手段、入出力Ｉ／Ｆ５９は本発明における第３通信手段、操作パネル１２は本発明における設定入力手段、記録部１７は本発明における画像形成装置である。
【００５７】
また、図５における送受信処理は本発明における通信制御手段、図６における保存サーバ設定処理は本発明における記憶手段として機能している。
［効果］
このように構成されたファクシミリ装置１によれば、モデム５５及びＮＣＵ５６が公衆電話回線網を介してファクシミリデータを受信すると、入出力Ｉ／Ｆ５９に接続された記録部１７がファクシミリデータを印刷可能であれば、モデム５５及びＮＣＵ５６が受信したファクシミリデータを入出力Ｉ／Ｆ５９を介して記録部１７に転送する。また、記録部１７がファクシミリデータを印刷できない場合には、モデム５５及びＮＣＵ５６が受信したファクシミリデータをＬＡＮＩ／Ｆ５７を介してインターネット２００上のインターネットサーバ３に記憶させる。
【００５８】
このため、記録部１７がファクシミリデータを印刷できない場合でも、モデム５５及びＮＣＵ５６は公衆電話回線網を介してファクシミリデータを受信することができる。
また、記録部１７がファクシミリデータを印刷可能であれば、インターネットサーバ３に記憶させたファクシミリデータをＬＡＮＩ／Ｆ５７を介してインターネットサーバ３から受信し、その後、インターネットサーバ３から受信したファクシミリデータを入出力Ｉ／Ｆ５９を介して記録部１７に転送する。
【００５９】
このため、記録部１７がファクシミリデータを印刷可能な状態に復帰した場合には、利用者はファクシミリデータを印刷して確認することができる。
また、図６における保存サーバ設定処理により、インターネットサーバ３を特定するためのメールサーバアドレスとメールアドレスを任意に設定することができる。
【００６０】
このため、操作者の判断に応じて、ファクシミリデータを転送先を変更することができる。
また、インターネットサーバ３にログオンするためのユーザＩＤとパスワードを記憶することができる。
【００６１】
このため、インターネットサーバ３におけるファクシミリデータの送受信の安全性をユーザＩＤとパスワードにより高めることができるので、ファクシミリデータを安全にインターネットサーバ３に保管することができる。
（実施の形態２）
以下、本発明の実施の形態２について図面を参照しながら説明する。
【００６２】
実施の形態２におけるファクシミリ装置１の外部構成および内部構成は、実施の形態１と同様である。
実施の形態２におけるファクシミリ装置１が実施の形態１と異なる点は、電気的構成と送受信処理である。このため実施の形態２におけるファクシミリ装置１の外部構成，内部構成，保存サーバ設定処理およびログ表示処理の説明は省略し、以下に、実施の形態２におけるファクシミリ装置１の電気的構成と送受信処理について説明する。
【００６３】
まず、図９を用いて、実施の形態２におけるファクシミリ装置１の電気的構成を説明する。図９は、実施の形態２におけるファクシミリ装置１の電気的構成を表すブロック図である。
ファクシミリ装置１は、主に、ＣＰＵ１８、ＲＯＭ５１、ＲＡＭ５２、スキャナ部１６、符号器５３、記録部１７、復号器５４、操作キー１２０、ＬＣＤ１２４、モデム５５、ネットワークコントロールユニット（ＮＣＵ）５６、ＬＡＮインタフェース（ＬＡＮＩ／Ｆ）５７、メール制御部５８、入出力Ｉ／Ｆ５９、ＰＣインタフェース（ＰＣＩ／Ｆ）６０を備えており、バス６１を介して接続されている。
【００６４】
これらの構成要素のうちＰＣＩ／Ｆ６０以外は実施の形態１と同様であるのでＰＣＩ／Ｆ６０以外の説明は省略する。
ＰＣＩ／Ｆ６０は、ＰＣと当該ファクシミリ装置１とをパラレルインタフェース等を介して接続するときに用いられるものであり、ＰＣ４とのデータの送受信を可能にする。
【００６５】
次に、図１０を用いて、ＣＰＵ１８が実行する実施の形態２における送受信処理について説明する。図１０は、実施の形態２における送受信処理を表すフローチャートである。この送受信処理はファクシミリ装置１が起動（電源ＯＮ）している間に繰り返し実行される処理である。
【００６６】
この送受信処理を実行すると、ＣＰＵ１８は、まずＳ４１にて、ＮＣＵ５６及びモデム５５によりＦＡＸデータが受信されているか否かを判断する。そして、ＦＡＸデータが受信されていれば（Ｓ４１：ＹＥＳ）、Ｓ４２に移行し、ＦＡＸデータが受信されていなければ（Ｓ４１：ＮＯ）、Ｓ５５に移行する。
【００６７】
Ｓ４２では、ＰＣ４がＰＣＩ／Ｆ６０を介して接続されているか否かを判断する。ここでは、例えば、ＣＰＵ１８はＰＣ４へ接続確認信号をＰＣＩ／Ｆ６０を介して送信し、所定時間内（例えば、１０秒）にＰＣ４から接続確認信号に対する応答信号の入力があるか否かで判断する。つまり、ＰＣ４の電源がＯＦＦになっている場合や、ＰＣ４とファクシミリ装置１とが信号ケーブルなどを介して接続されていない場合には、応答信号はＣＰＵ１８に入力されない。
【００６８】
そして、ＰＣ４が接続されていると判断すると（Ｓ４２：ＹＥＳ）、Ｓ４３に移行し、ＦＡＸデータをＮＣＵ５６及びモデム５５にて受信し、ＲＡＭ５２内の所定の記憶領域（送受信データ記憶部５２ｂ）に格納する。そしてＳ４４に移行し、送受信データ記憶部５２ｂに格納されたＦＡＸデータを、ＰＣＩ／Ｆ６０を介してＰＣ４へ送信する。その後、Ｓ４５に移行し、ログ管理情報記憶部５２ｅにＦＡＸデータのＰＣ送信記録を記憶し、当該送受信処理を終了する。
【００６９】
一方、Ｓ４２にてＰＣ４が接続されていないと判断すると（Ｓ４２：ＮＯ）、Ｓ４６に移行し、保存先情報記憶部５２ｄにおいて保存サーバのメールアドレスが設定されているか否かを判断する。そして、メールアドレスが設定されていると判断すると（Ｓ４６：ＹＥＳ）、Ｓ４７に移行し、ＦＡＸデータをＮＣＵ５６及びモデム５５にて受信し、ＲＡＭ５２内の所定の記憶領域（送受信データ記憶部５２ｂ）に格納する。
【００７０】
そしてＳ４８に移行し、送受信データ記憶部５２ｂに格納されたＦＡＸデータを、メール制御部５８により電子メールとして送信可能な電子メールフォーマットのイメージデータにフォーマット変換する。その後、Ｓ４９に移行し、変換したＦＡＸデータを電子メールに添付して、保存先情報記憶部５２ｄにおいてメールアドレスが設定されているインターネットサーバ３へこの電子メールを送信する。そして、Ｓ５０において、ログ管理情報記憶部５２ｅにＦＡＸデータの送信記録を記憶し、Ｓ５５に移行する。
【００７１】
また、Ｓ４６において、メールアドレスが設定されていないと判断すると（Ｓ４６：ＮＯ）、Ｓ５１に移行し、印刷代用モードであるかを判断する。そして、印刷代用モードであると判断すると（Ｓ５１：ＹＥＳ）、Ｓ５２に移行し、ＦＡＸデータをＮＣＵ５６及びモデム５５にて受信し、ＲＡＭ５２内の所定の記憶領域（送受信データ記憶部５２ｂ）に格納する。そしてＳ５３に移行し、送受信データ記憶部５２ｂに格納されたＦＡＸデータを、復号器５４により印刷用の画像データ（ビットマップデータ）に復号化し、その復号化後のＦＡＸデータを記録部１７へ転送することで、記録部１７に印刷を実行させる。その後、Ｓ５５に移行する。
【００７２】
一方、Ｓ５１において、印刷代用モードでないと判断すると（Ｓ５１：ＮＯ）、Ｓ５４においてＦＡＸデータの受信を拒否し、Ｓ５５に移行する。
Ｓ５５では、ＰＣ４がＰＣＩ／Ｆ６０を介して接続されているか否かを判断する。そして、ＰＣ４が接続されていると判断すると（Ｓ５５：ＹＥＳ）、Ｓ５６に移行し、インターネットサーバ３へインターネット２００を介してアクセスして、新規の受信メールが格納されているか否かを確認する。そして、Ｓ５７において、インターネットサーバ３に新規の受信メールが格納されているか否かを判断し、新規の受信メールが格納されていると判断すると（Ｓ５７：ＹＥＳ）、Ｓ５８に移行し、インターネットサーバ３から、新規のメールを受信する。
【００７３】
そして、Ｓ５９において、電子メールに添付されたＦＡＸデータをファックスフォーマットのイメージデータに逆フォーマット変換する処理を行い、変換後のＦＡＸデータをＲＡＭ５２内の所定の記憶領域（送受信データ記憶部５２ｂ）に格納する。
【００７４】
その後、Ｓ６０に移行し、送受信データ記憶部５２ｂに格納されたＦＡＸデータを、ＰＣＩ／Ｆ５９を介してＰＣ４へ送信する。その後、Ｓ６１に移行し、ログ管理情報記憶部５２ｅにＦＡＸデータの受信およびＰＣ送信記録を記憶し、当該送受信処理を終了する。
【００７５】
一方、Ｓ５７において、新規の受信メールが格納されていないと判断すると（Ｓ５７：ＮＯ）、当該送受信処理を終了する。
また、Ｓ５５において、ＰＣ４が接続されていないと判断すると（Ｓ５５：ＮＯ）、当該送受信処理を終了する。
【００７６】
尚、実施の形態２におけるログ管理情報リストは、概ね図８（ｂ）に示した形態で表示される。
リスト項目の「Ｎｏ」，「日付時刻」，「ＦＡＸ番号／名前」，「所要時間」，「ページ数」，「通信結果」は、通常のＦＡＸ通信の管理記録情報である。
【００７７】
また、「ファイルサイズ」はＦＡＸデータを転送した場合のＦＡＸデータのデータ量、「転送先」はＰＣ未接続時におけるＦＡＸデータの転送先、「転送保管時刻」は転送先へ転送した時刻、「保管データ取得時刻」は転送先からＦＡＸデータを取得してその後ＰＣへ送信した時刻、「保管理由」はＦＡＸデータを転送先へ転送した理由を表す。
【００７８】
Ｎｏ．１の行は、ＦＡＸデータを受信した時にＰＣ未接続のため、メールサーバにＦＡＸデータを転送し、その後ＰＣが接続されてＦＡＸデータをメールサーバから取得した場合を示している。また、Ｎｏ．２の行は、ＦＡＸデータを受信した時にＰＣが接続されていたため、ＰＣにＦＡＸデータを送信した場合を示している。
【００７９】
［本発明との対応関係］
以上説明した実施形態２において、モデム５５及びＮＣＵ５６は本発明における第１通信手段、ＬＡＮＩ／Ｆ５７は本発明における第２通信手段、ＰＣＩ／Ｆ６０は本発明における第３通信手段、ＰＣ４は本発明における情報処理装置である。
【００８０】
また、図１０における送受信処理は本発明における通信制御手段として機能している。
［効果］
このように構成されたファクシミリ装置１によれば、モデム５５及びＮＣＵ５６が公衆電話回線網を介してファクシミリデータを受信すると、ＰＣ４がＰＣＩ／Ｆ６０を介して接続されていれば、モデム５５及びＮＣＵ５６が受信したファクシミリデータをＰＣＩ／Ｆ６０を介してＰＣ４に転送する。また、ＰＣ４がＰＣＩ／Ｆ６０を介して接続されていない場合には、モデム５５及びＮＣＵ５６が受信したファクシミリデータをＬＡＮＩ／Ｆ５７を介してインターネット２００上のインターネットサーバ３に記憶させる。
【００８１】
このため、ＰＣ４がＰＣＩ／Ｆ６０を介して接続されていない場合でも、モデム５５及びＮＣＵ５６は公衆電話回線網を介してファクシミリデータを受信することができる。
また、ＰＣ４がＰＣＩ／Ｆ６０を介して接続されれば、インターネットサーバ３に記憶させたファクシミリデータをＬＡＮＩ／Ｆ５７を介してインターネットサーバ３から受信し、その後、インターネットサーバ３から受信したファクシミリデータをＰＣＩ／Ｆ６０を介してＰＣ４に転送する。
【００８２】
このため、ＰＣ４がファクシミリデータを転送可能な状態に復帰した場合には、利用者はファクシミリデータをＰＣ４上で確認することができる。
［変形例］
以上、本発明の実施の形態について説明したが、本発明の実施の形態は上記実施の形態に何ら限定されることなく、本発明の技術的範囲に属する限り種々の形態をとり得ることはいうまでもない。
【００８３】
例えば、上記実施形態においては、モノクロによるレーザープリンティングにて画像を形成する例を挙げて説明したが、画像形成装置は、インクジェットやサーマルトランスファ方式のプリンティングにて画像を形成するようにしたり、モノクロに代えてカラーで画像を形成する構成であっても良い。
【００８４】
また、上記実施形態においては、図３および図１０の送受信処理が、ファクシミリ装置１に備えられたＣＰＵ１８により実行されるように構成されたものを例示した。しかし、これらの処理が、ファクシミリ装置１に有線・無線の信号伝送路で接続された別のコンピュータシステムにより実行されるように構成してもよい。
【図面の簡単な説明】
【図１】実施の形態におけるファクシミリ装置の外部構成を表す概略斜視図。
【図２】実施の形態におけるファクシミリ装置の内部構成を表す説明図。
【図３】実施の形態１におけるファクシミリ装置の電気的構成を表すブロック図。
【図４】ＲＯＭ５１及びＲＡＭ５２内のデータ構成を表す説明図。
【図５】実施の形態１における送受信処理手順を示すフローチャート。
【図６】実施の形態における保存サーバ設定処理手順を示すフローチャート。
【図７】実施の形態におけるログ表示処理手順を示すフローチャート。
【図８】実施の形態におけるログ管理情報構成を表す説明図。
【図９】実施の形態２におけるファクシミリ装置の電気的構成を表すブロック図。
【図１０】実施の形態２における送受信処理手順を示すフローチャート。
【符号の説明】
１，２…ファクシミリ装置、３…インターネットサーバ、４…ＰＣ、１０…本体ケース、１１…ハンドセット、１２…操作パネル、１３，１４，１５…給紙トレイ、１６…スキャナ部、１７…記録部、１８…ＣＰＵ、１９，２７…給紙ローラ、２０，２８…分離パッド、２１，２９…搬送ローラ、２２…読取装置、２３，３２…排紙ローラ、２４，３３…排紙トレイ、２５，２６…センサ、３０…画像形成装置、３１…定着装置、３４…レーザ光走査装置、３５…トナータンク、３６…転写ローラ、３７…レーザ発光部、３８…レンズ、３９…反射ミラー、５１…ＲＯＭ、５２…ＲＡＭ、５３…符号器、５４…復号器、５５…モデム、５６…ＮＣＵ、５７…ＬＡＮインタフェース、５８…メール制御部、５９…入出力インタフェース、６０…ＰＣインタフェース、６０…バス、１００…公衆電話回線網、２００…インターネット。
【図１】
2004274399.tif 000003
【図２】
2004274399.tif 000004
【図３】
2004274399.tif 000005
【図４】
2004274399.tif 000006
【図５】
2004274399.tif 000007
【図６】
2004274399.tif 000008
【図７】
2004274399.tif 000009
【図８】
2004274399.tif 000010
【図９】
2004274399.tif 000011
【図１０】
2004274399.tif 000012